(57)【要約】【課題】ユーザーが目的にあった定型文を短時間で探し出すことができるようにする。【解決手段】キーワードと定型文とポイントとを関連付けてリスト（キーワードリストおよび定型文リスト）に記憶しておき、ユーザーによる文字入力を受け付け（Ｓ２５０，Ｓ２６０）、入力した文字（文字列）に含まれるキーワードをキーワードリストから検索する（Ｓ２７０）。そして、検索したキーワードに合致する定型文とこれに関連付けられたポイントとを定型文リストから抽出し（Ｓ２８０〜Ｓ３００）、抽出された定型文をポイントが高い順に上位Ｎ個まで一覧表示する（Ｓ３６０〜Ｓ３８０）。これにより、記憶されている定型文が数が比較的多い場合であっても、ユーザーは効率よく目的にあった定型文を短時間で探し出すことができる。【選択図】図６
2013168102.tif 000002
【特許請求の範囲】
【請求項１】
定型文を表示する定型文表示装置であって、
キーワードと定型文とポイントとを互いに関連付けて複数記憶する定型文記憶手段と、
ユーザーの操作に基づいてキーワードを取得するキーワード取得手段と、
前記取得されたキーワードに合致する定型文とポイントとを前記定型文記憶手段から抽出し、該抽出した定型文をポイントが高い順に所定数まで表示する定型文表示手段と
を備える定型文表示装置。
【請求項２】
請求項１記載の定型文表示装置であって、
前記定型文記憶手段は、一つの定型文に対して複数のキーワードと該キーワード毎のポイントとを関連付けて記憶する手段であり、
前記定型文表示手段は、前記取得されたキーワードに合致する定型文を複数抽出した場合、前記抽出した定型文に関連付けられた他のキーワードを取得するための所定の質問を行ない、該質問に対する回答として前記他のキーワードを追加のキーワードとして取得し、前記取得した追加のキーワードにより生じるポイントを前記抽出した定型文のポイントとして加算することにより、該抽出した定型文をポイントが高い順に前記所定数まで表示する手段である
定型文表示装置。
【請求項３】
請求項２記載の定型文表示装置であって、
前記定型文表示手段は、前記取得されたキーワードに合致する定型文を複数抽出し且つ該抽出した複数の定型文のいずれかに関連付けられた他のキーワード中に特定のキーワードの組み合わせが含まれている場合に、前記所定の質問として前記特定のキーワードの組み合わせの中からキーワードをユーザーに選択させるための質問を行ない、該質問に対する回答としてユーザーにより選択されたキーワードを前記追加のキーワードとして取得する手段である
定型文表示装置。
【請求項４】
請求項１ないし３いずれか１項に記載の定型文表示装置であって、
前記キーワード取得手段は、ユーザーによる文字入力に伴って予測される変換候補を表示する予測変換手段を備え、
前記変換候補として、前記定型文記憶手段に記憶されたキーワードが予め登録されてなる
ことを特徴とする定型文表示装置。
【請求項５】
請求項１ないし４いずれか１項に記載の定型文表示装置を備え、前記表示された定型文を用紙に印刷する印刷装置。
【発明の詳細な説明】
【技術分野】
【０００１】
本発明は、定型文を表示する定型文表示装置および印刷装置に関する。
【背景技術】
【０００２】
従来、この種の定型文表示装置としては、キーワードと文例データ（定型文）とを対応付けて記憶しておき、キーワードが与えられると、キーワードに応じた文例を抽出して一覧表示するものが提案されている（例えば、特許文献１参照）。この装置では、「はがき」や「カード」，「案内状」等の文例の種類やその文例に関連が深い季節等をキーワードとしてユーザーにより選択させ、選択されたキーワードに応じた文例データを検索し、検索した文例データを文例一覧画面に表示する。
【先行技術文献】
【特許文献】
【０００３】
【特許文献１】特開平６−４４２４２号公報
【発明の概要】
【発明が解決しようとする課題】
【０００４】
しかしながら、上述の装置では、ユーザーの目的にあった定型文を探し出すのに時間がかかる場合がある。例えば、定型文が多数用意されている場合を考えると、ユーザーが選択するキーワード（検索条件）によってはそのキーワードに合致する定型文が多数抽出される場合があり、この場合、一覧表示される定型文の数が多くなり過ぎ、その中からユーザーが目的にあった定型文を探すのが困難となる。これに対して、選択するキーワード（検索条件）の数を増やすことで抽出する定型文の数を少数に絞り込むことも考えられるが、この場合、ユーザーは適切な数のキーワードを選択（入力）しなければならないから、ユーザーによるキーワードの選択が困難となる場合がある。
【０００５】
本発明の定型文表示装置および印刷装置は、ユーザーが目的にあった定型文を短時間で探し出すことができるようにすることを主目的とする。
【０００６】
本発明の定型文表示装置および印刷装置は、上述の主目的を達成するために以下の手段を採った。
【課題を解決するための手段】
【０００７】
本発明の定型文表示装置は、
定型文を表示する定型文表示装置であって、
キーワードと定型文とポイントとを互いに関連付けて複数記憶する定型文記憶手段と、
ユーザーの操作に基づいてキーワードを取得するキーワード取得手段と、
前記取得されたキーワードに合致する定型文とポイントとを前記定型文記憶手段から抽出し、該抽出した定型文をポイントが高い順に所定数まで表示する定型文表示手段と
を備えることを要旨とする。
【０００８】
この本発明の定型文表示装置では、キーワードと定型文とポイントとを互いに関連付けて予め複数記憶しておき、ユーザーの操作に基づいてキーワードを取得し、取得されたキーワードに合致する定型文とポイントとを抽出し、抽出した定型文をポイントが高い順に所定数まで表示する。キーワードと定型文との関連の度合いが強いほどポイントが高くなるよう設定しておくものとすれば、キーワードとの関連性が強い定型文ほど上位に表示されるから、ユーザーは目的にあった定型文を短時間で探し出すことができる。
【０００９】
こうした本発明の定型文表示装置において、前記定型文記憶手段は、一つの定型文に対して複数のキーワードと該キーワード毎のポイントとを関連付けて記憶する手段であり、前記定型文表示手段は、前記取得されたキーワードに合致する定型文を複数抽出した場合、前記抽出した定型文に関連付けられた他のキーワードを取得するための所定の質問を行ない、該質問に対する回答として前記他のキーワードを追加のキーワードとして取得し、前記取得した追加のキーワードにより生じるポイントを前記抽出した定型文のポイントとして加算することにより、該抽出した定型文をポイントが高い順に前記所定数まで表示する手段であるものとすることもできる。こうすれば、ユーザーに過大な負担を強いることなしに、ユーザーの目的にあった定型文をより適切に絞り込むことができる。この態様の本発明の定型文表示装置において、前記定型文表示手段は、前記取得されたキーワードに合致する定型文を複数抽出し且つ該抽出した複数の定型文のいずれかに関連付けられた他のキーワード中に特定のキーワードの組み合わせが含まれている場合に、前記所定の質問として前記特定のキーワードの組み合わせの中からキーワードをユーザーに選択させるための質問を行ない、該質問に対する回答としてユーザーにより選択されたキーワードを前記追加のキーワードとして取得する手段であるものとすることもできる。
【００１０】
また、本発明の定型文表示装置において、前記キーワード取得手段は、ユーザーによる文字入力に伴って予測される変換候補を表示する予測変換手段を備え、前記変換候補として、前記定型文記憶手段に記憶されたキーワードが予め登録されてなるものとすることもできる。こうすれば、ユーザーの操作負担を低減させることができる。
【００１１】
本発明の印刷装置は、
上述した各態様のいずれかの本発明の定型文表示装置を備え、前記表示された定型文を用紙に印刷する
ことを要旨とする。
【００１２】
この本発明の印刷装置によれば、本発明の定型文表示装置を備えるから、ユーザーの目的にあった定型文を短時間で探し出すことができ、定型文を用いた文章の印刷を行なうことができる。
【図面の簡単な説明】
【００１３】
【図１】本実施形態のプリンター２０の外観斜視図。
【図２】本実施形態のプリンター２０の制御ブロック図。
【図３】トップメニュー画面７０の一例を示す説明図。
【図４】ハガキ作成用メニュー画面７２の一例を示す説明図。
【図５】通信面印刷処理の一例を示すフローチャート。
【図６】文章編集処理の一例を示すフローチャート。
【図７】キーワード入力の様子を示す説明図。
【図８】キーワードリストの一例を示す説明図。
【図９】定型文リストの一例を示す説明図。
【図１０】質問画面７６の一例を示す説明図。
【図１１】質問画面７８の一例を示す説明図。
【図１２】定型文表示画面８０の一例を示す説明図。
【発明を実施するための形態】
【００１４】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１５】
本実施形態のプリンター２０は、印刷機構４０（図２参照）を内蔵しＬ版サイズやハガキサイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１６】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１７】
ＬＣＤ２５は、ＬＣＤコントローラー６０による表示制御を受けて文字や図形，記号などを表示する。ＬＣＤ２５は、本実施形態では、９６０ドット×２４０ドットの画素により構成されている。
【００１８】
また、本実施形態のプリンター２０は、その制御系としては、図２に示すように、プリンター全体の制御を司るメインコントローラー５０と、印刷機構４０を制御するプリンターＡＳＩＣ４８と、赤外線通信ポート２８を介して入力した赤外線信号を操作信号として処理する赤外線通信コントローラー５６と、ＬＣＤ２５を表示制御するＬＣＤコントローラー６０と、メモリーカードスロット５７に挿入されたメモリーカードＭＣに対するデータの書き込みや読み出しを制御するメモリーカードコントローラー５８と、キーボード６１からの文字や記号を入力するキーボードコントローラー６２と備え、これらはバス５９を介して互いに電気的に接続されている。
【００１９】
メインコントローラー５０は、ＣＰＵ５１を中心とするマイクロプロセッサーとして構成されており、各種処理プログラムや各種データ、後述するキーワードリストや定型文リストを含む各種リスト（テーブル）などを記憶するＲＯＭ５２と、一時的にデータを記憶するＲＡＭ５３と、電気的に書き換え可能で電源を切ってもデータは保持されるフラッシュメモリー５４と、電源ボタン２６からの操作信号を入力するインターフェース５５（Ｉ／Ｆ）とを備える。このメインコントローラー５０は、メモリーカードスロット５７に挿入されたメモリーカードＭＣから画像ファイルなどを入力したり、赤外線通信コントローラー５６からの操作信号や印刷機構４０の各部からの検出信号などを入力したりする。また、メインコントローラー５０は、メモリーカードＭＣに編集画像などを保存したり、プリンターＡＳＩＣ４８への指令信号やＬＣＤコントローラー６０への制御信号を出力したりする。
【００２０】
こうして構成された本実施形態のプリンター２０では、トップメニューボタン３３が押されると、トップメニュー画面を表示して各種項目の選択を受け付ける。図３にトップメニュー画面７０の一例を示す。トップメニュー画面７０では、図示するように、ハガキを作成するための「ハガキ作成」や写真を印刷するための「写真の印刷」、写真を多面レイアウトで印刷するレイアウト印刷や写真にフレームを付けて印刷するフレーム印刷などを行なうための「いろいろな印刷」，メモリーカードＭＣやフラッシュメモリー５４に記憶されている画像データを順次再生するための「フォトスライドショー」，メモリーカードＭＣ内のデータをフラッシュメモリー５４にバックアップするための「データ管理」の項目がある。ユーザーは、これらの項目のいずれかを上下左右ボタン３５により選択し、ＯＫボタン３６を押すことにより決定することができる。
【００２１】
図４はハガキ作成用メニュー画面７２の一例を示す説明図である。ハガキ作成用メニュー画面７２は、トップメニュー画面７０で「ハガキ作成」が選択されたときに遷移される。このハガキ作成用メニュー画面７２では、宛名や差出人の氏名や住所を住所録に登録するための「住所録」と、住所録に登録されている宛名データを用いて宛名面を印刷するための「宛名面印刷」と、写真や文章を貼り付けて通信面を印刷するための「通信面印刷」の各項目がある。ユーザーは、これらの項目のいずれかに上下左右ボタン３５によりカーソル７２ａを合わせ、ＯＫボタン３６を押すことにより決定することができる。
【００２２】
次に、本実施形態のプリンター２０で通信面印刷を行なう際の動作について説明する。図５は、メインコントローラー５０により実行される通信面印刷処理の一例を示すフローチャートである。この処理は、図４に示すハガキ作成用メニュー画面７２で「通信面印刷」が選択されたときに実行される。
【００２３】
通信面印刷処理が実行されると、メインコントローラー５０のＣＰＵ５１は、まず、写真（イラスト）を選択し（ステップＳ１００）、選択が決定されるのを待つ（ステップＳ１１０）。写真の選択は、例えば、メモリーカードスロット５７に差し込まれたメモリーカードＭＣから写真を読み込んで図示しないサムネイル画面を一覧表示し、サムネイル画面から希望する写真に上下左右ボタン３５によりカーソルを合わせ、ＯＫボタン３６を押すことにより行なうことができる。また、イラストの選択は、例えば、フラッシュメモリー５４に内蔵された複数のサンプルの中からユーザーによって選択することにより行なうことができる。写真（イラスト）の決定は、写真やイラストを選択した後に、ＯＫボタン３６を押すことにより行なう。なお、ステップＳ１００の処理はスキップするものとしてもよい。
【００２４】
写真の選択が決定されると、次に、文章を編集し（ステップＳ１２０）、文章の編集が決定されるのを待つ（ステップＳ１３０）。文章の編集が決定されると、印刷指示を待ち（ステップＳ１４０）、印刷指示がなされると、通信面の印刷処理を実行して（ステップＳ１５０）、通信面印刷処理を終了する。
【００２５】
ステップＳ１２０の文章の編集は、図６に例示する文章編集処理を実行することにより行なわれる。文章編集処理では、まず、文章の編集方法を受け付ける（ステップＳ２００）。この処理は、編集方法選択画面を表示して複数の編集方法の中から一つをユーザーに選択させることにより行なう。編集方法選択画面は、図示しないが、プリンター２０に収録されている定型文を使用する「定型文を使う」やキーボード６１を用いて文章を自由に入力する「文章を入力」、入力した文字のフォントや飾り、色を設定する「その他の処理」の各項目がある。ユーザーは、上下左右ボタン３５により各項目のいずれかにカーソルを合わせ、ＯＫボタン３６を押すことにより編集方法を選択することができる。編集方法の入力を受け付けると、受け付けた編集方法が「定型文を使う」か否か（ステップＳ２１０）、「文章を入力」か否か（ステップＳ２２０）を判定する。「定型文を使う」および「文章を入力」のいずれでもない、即ち「その他の処理」が選択された場合には、対応する処理を行なって（ステップＳ４３０）、文章編集処理を終了する。また、「文章を入力」が選択されたと判定された場合には、キーボード６１による文字入力を受け付け（ステップＳ２３０）、文字入力が完了すると（ステップＳ２４０）、これで文章編集処理を終了する。
【００２６】
一方、編集方法として「定型文を使う」が選択されたと判定された場合には、図７に例示するキーワード入力画面７４を表示してキーボード６１による文字入力を受け付ける（ステップＳ２５０）。本実施形態のプリンター２０では、入力された文字または文字列を読み取り、データベースを参照して変換候補を候補欄７４ａに表示する予測変換機能を備えている。変換候補には、後述するキーワードリスト内のキーワードが予め登録されており、キーワード中の文字または文字列を含む文字または文字列が入力されると、対応するキーワードが変換候補として表示される（図７参照）。ユーザーは、表示された変換候補を選択することにより、文字を全て入力する必要なしに、キーワードを入力することができる。なお、変換候補は、上述したキーワードの他に、ユーザーによる以前の入力履歴を登録して候補として表示するものとしてよい。この場合、入力履歴よりもキーワードを先頭側に表示することが望ましい。
【００２７】
文字入力が完了すると（ステップＳ２６０）、入力された文字または文字列をキーとしてキーワードリストを検索する（ステップＳ２７０）。図８に、キーワードリストの一例を示す。キーワードリストは、図示するように、「年賀状」や「暑中見舞い」、「喪中」、「クリスマス」などの各キーワードとＩＤ（識別番号）とが、各キーワード毎に関連付けられたリストである。ここで、ＩＤは、同一グループに属するキーワードを識別するための識別番号である。図８の例では、「目上」や「上司」、「先輩」はいずれも目上宛てのグループキーワードに属するものとして同一のＩＤ「００５」が付与され、「後輩」や「友人」、「部下」はいずれも目下宛てのグループキーワードに属するものとして同一のＩＤ「００６」が付与されている。また、「孫」や「子供」はいずれも家族宛てのグループキーワードに属するものとして同一のＩＤ「００７」が付与され、「英語」や「留学生」、「外人」はいずれも外国人宛てのグループキーワードに属するものとして同一のＩＤ「００８」が付与されている。なお、入力された文字列に２つ以上のキーワードが含まれている場合には、全てのキーワードを検索する。例えば、入力された文字列が「友人へのクリスマスの挨拶」の場合には、「友人」と「クリスマス」とがキーワードとして検索される。入力された文字または文字列にキーワードが含まれていないと判定されると（ステップＳ２８０）、ステップＳ２５０に戻って、例えば、「入力された文字または文字列にはキーワードが含まれていません」などのメッセージを表示し、再度文字入力を受け付ける。
【００２８】
入力された文字または文字列にキーワードが含まれている（検索ヒット）と判定されると（ステップＳ２８０）、検索ヒットしたキーワードに関連付けられているＩＤを読み出し（ステップＳ２９０）、読み出したＩＤに基づいて定型文リストを検索する（ステップＳ３００）。図９に、定型文リストの一例を示す。定型文リストは、図示するように、定型文と、各ＩＤ毎のポイントとが関連付けられたリストである。例えば、図９の定型文５（リストの上から５番目）の「HAPPY NEW YEAR!」は、ＩＤ「００１」で５ポイントが、ＩＤ「００６」で５ポイントが、ＩＤ「００８」で１０ポイントが関連付けられている。また、定型文１２（リストの上から１２番目）の「素敵なクリスマスをお過ごしくださいませ。」は、ＩＤ「００４」で５ポイントが、ＩＤ「００５」で５ポイントが関連付けられている。ステップＳ３００における定型文リストの検索は、ステップＳ２９０で読み出されたＩＤにおいてポイントが関連付けられている定型文を抽出すると共に、抽出した定型文のいずれかにポイントが関連付けられている他のＩＤを関連ＩＤとして抽出する処理である。例えば、ＩＤ「００１」（キーワードは年賀状）で図９の定型文リストが検索される場合、定型文１〜６，１６，１７が抽出され、ＩＤ「００５」，「００６」，「００７」，「００８」，「００９」，「０１０」が関連ＩＤとして抽出されることになる。
【００２９】
そして、定型文リストの検索の結果、抽出された関連ＩＤ中に特定の組み合わせ（以下、特定関連ＩＤ群という）があるか否かを判定し（ステップＳ３１０）、特定関連ＩＤ群があると判定されると、特定関連ＩＤ群に基づいて選択肢形式で質問を生成して質問画面を表示し（ステップＳ３２０）、その回答を受け付ける（ステップＳ３３０）。質問画面の一例を図１０および図１１に示す。図１０の質問画面７６はハガキを送る季節を質問するためのものである。この質問画面７６による質問は、関連ＩＤに、年賀状のグループであるＩＤ「００１」と、クリスマスのグループであるＩＤ「００４」と、喪中のグループであるＩＤ「００３」と、暑中見舞いのグループであるＩＤ「００２」のうちいずれか２つ以上の組み合わせが含まれる場合に実行される。ユーザーは、表示させた選択肢のいずれかにカーソル７６ａを合わせてＯＫボタン３６を押すことにより回答することができる。なお、質問画面７６では、関連ＩＤに対応する選択肢のみを表示し、関連ＩＤに含まれていないＩＤに対応する選択肢については表示しないものとしてもよい。また、図１１の質問画面７８はハガキの宛先を質問するためのものである。この質問画面７８による質問は、関連ＩＤに、目上宛てのグループであるＩＤ「００５」と、目下宛てのグループであるＩＤ「００６」との組み合わせが含まれる場合に実行される。ユーザーは、表示させた選択肢のいずれかにカーソル７８ａを合わせてＯＫボタン３６を押すことにより回答することができる。質問に対する回答がなされると、回答に対応するＩＤを追加し（ステップＳ３４０）、追加したＩＤを用いて定型文リストの絞り込み検索を行なう（ステップＳ３５０）。絞り込み検索は、本実施形態では、ステップＳ３００で抽出された定型文の範囲内で行なわれ、これら定型文のポイントに追加ＩＤにより生じるポイントを加算することにより行なう。例えば、図９において、ＩＤ「００１」（年賀状）に基づいて定型文１〜６，１６，１７が抽出され、その後、図１１の質問に対する回答としてＩＤ「００５」（目上宛て）の追加ＩＤが取得されると、追加ＩＤによる絞り込み検索により定型文１〜３，１６，１７については５ポイントを加算されて合計１０ポイントとなり、定型文４〜６は５ポイントのままとなる。なお、ステップＳ３１０で特定関連ＩＤ群がないと判定されると、ステップＳ３２０〜Ｓ３５０の処理をスキップし、次のステップＳ３６０の処理に進む。そして、ステップＳ３００でＩＤによって抽出された定型文のポイント数を集計し（ステップＳ３６０）、ポイント数が高い順に定型文をソートし（ステップＳ３７０）、ソートした定型文のうち上位Ｎ個（例えば、３つ）までの定型文をポイント順に定型文表示画面として一覧表示する（ステップＳ３８０）。
【００３０】
定型文表示画面８０の一例を図１２に示す。図１２では、最初のＩＤに「００１」（年賀状）が指定され、その後、質問に対する回答として追加ＩＤ「００５」（目上宛て）が取得された場合の例を示した。定型文表示画面８０では、図示するように、最上位の定型文については全文を表示し、それ以下の定型文については所定字数を上限として表示する。ユーザーは、上下左右ボタン３５によりカーソル８０ａを移動させ、ＯＫボタン３６を押すことにより定型文を選択することができる。なお、同一ポイント数の定型文が（Ｎ＋１）個以上の場合には定型文リストの番号の若い順にＮ個まで表示するものとしてもよい。
【００３１】
こうして定型文を一覧表示すると、定型文の選択を受け付け（ステップＳ３９０）、定型文が選択されると、選択された定型文を通信面にレイアウトして表示する（ステップＳ４００）。そして、定型文の編集を受け付け（ステップＳ４１０）、編集がない場合にはそのまま文章編集処理を終了し、編集がある場合には必要な編集（定型文の加筆修正）を行なって（ステップＳ４２０）、文章編集処理を終了する。
【００３２】
ここで、本実施形態の構成要素と本発明の構成要素との対応関係を明らかにする。本実施形態のＲＯＭ５２が本発明の「定型文記憶手段」に相当し、キーボード６１や図７の文章編集処理のステップＳ２５０，Ｓ２６０の処理を実行するメインコントローラー３０が「キーワード取得手段」に相当し、液晶ディスプレイ２５や文章編集処理のステップＳ２７０〜３８０の処理を実行するメインコントローラー３０が「定型文表示手段」に相当する。
【００３３】
以上説明した本実施形態のプリンター２０によれば、キーワードと定型文とポイントとを関連付けてリスト（キーワードリストおよび定型文リスト）に記憶しておき、ユーザーによる文字入力を受け付けて、入力した文字（文字列）に含まれるキーワードをキーワードリストから検索し、検索したキーワードに合致する定型文とこれに関連付けられたポイントとを定型文リストから抽出し、抽出された定型文をポイントが高い順に上位Ｎ個まで一覧表示するから、記憶されている定型文が数が比較的多い場合であっても、ユーザーは効率よく目的にあった定型文を探し出すことができる。しかも、定型文リスト内の個々の定型文に対して複数のＩＤ（グループキーワード）とＩＤ毎のポイントとを関連付けておき、初回のキーワードにより抽出された定型文のいずれかに関連付けられたＩＤ中に特定のＩＤの組み合わせ（特定関連ＩＤ群）が含まれる場合には、その特定関連ＩＤ群に対応する質問を選択肢形式で行ない、その回答として追加のＩＤを取得し、追加のＩＤにより生じるポイントを抽出された定型文のポイントとして加算することにより絞り込み検索を行なうから、ユーザーは更に効率よく目的にあった定型文を探し出すことができる。
【００３４】
上述した実施形態では、キーワードと、同一グループに属するキーワードを識別するためのＩＤとを関連付けてキーワードリストに記憶し、ＩＤ（グループキーワード）単位で定型文を検索するものとしたが、これに限られず、キーワード毎に個別のＩＤを付与し、キーワード単位で定型文を検索するものとしてもよい。
【００３５】
上述した実施形態では、定型文リスト内の個々の定型文に対して複数のＩＤ（キーワード）とＩＤ毎のポイントとを関連付けておき、初回のキーワードにより抽出された定型文のいずれかに関連付けられたＩＤ中に特定のＩＤの組み合わせ（特定関連ＩＤ群）が含まれる場合には、その特定関連ＩＤ群に対応する質問を選択肢形式で行ない、その回答として追加のＩＤを取得し、追加のＩＤにより生じるポイントを抽出された定型文のポイントとして加算することにより絞り込み検索を行なうものとしたが、こうした絞り込み検索を省略するものとしてもよい。この場合、図６の文章編集処理のステップＳ３１０〜Ｓ３５０の処理を省略するものとすればよい。
【００３６】
上述した実施形態では、ステップＳ２５０で入力した文字または文字列に基づいて変換候補を表示する予測変換機能を備え、この変換候補として、キーワードリスト内のキーワードを予め登録しておくものとしたが、変換候補にキーワードを登録しないものとしてもよい。また、こうした予測変換機能を備えないものとしても構わない。
【００３７】
上述した実施形態では、本発明をプリンター２０に適用して説明したが、これに限られず、定型文を表示するためのディスプレイを備える機器であれば、例えば、ＦＡＸ機器やビューワー，パーソナルコンピューターなど如何なる機器に適用するものとしてもよい。また、ディスプレイも液晶ディスプレイに限られず、プラズマディスプレイや有機ＥＬディスプレイなど複数の画素により構成される如何なるディスプレイに適用するものとしてもよい。
【００３８】
なお、本発明は上述した実施形態に何ら限定されることはなく、本発明の技術的範囲に属する限り種々の態様で実施し得ることはいうまでもない。
【符号の説明】
【００３９】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５０  メインコントローラー、５１  ＣＰＵ、５２  ＲＯＭ、５３  ＲＡＭ、５４  フラッシュメモリー、５５  インターフェース（Ｉ／Ｆ）、５６  赤外線通信コントローラー、５７  メモリーカードスロット、５８  メモリーカードコントローラー、５９  バス、６０  ＬＣＤコントローラー、６１  キーボード、６２  キーボードコントローラー、７０  トップメニュー画面、７２  ハガキ作成メニュー画面、７２ａ  カーソル、７４  キーワード入力画面、７４ａ  候補欄，７６，７８  質問画面、７６ａ，７８ａ  カーソル、８０  定型文表示画面、８０ａ  カーソル、ＭＣ  メモリーカード。
【図１】
2013168102.tif 000003
【図２】
2013168102.tif 000004
【図３】
2013168102.tif 000005
【図５】
2013168102.tif 000006
【図６】
2013168102.tif 000007
【図７】
2013168102.tif 000008
【図８】
2013168102.tif 000009
【図４】
2013168102.tif 000010
【図９】
2013168102.tif 000011
【図１０】
2013168102.tif 000012
【図１１】
2013168102.tif 000013
【図１２】
2013168102.tif 000014